(57)【要約】【課題】  間伐材を大いに利用し、良好な魚礁を提供できると共に、製造が安価で長期間にわたって機能を発揮し、再使用にも適し、魚礁の構成要素が流出したりしない人工魚礁の提供を課題とする。【解決手段】  ハウジング内に間伐材２０を収容してなる人工魚礁で、立体形状の各辺を骨格枠とすると共に各面を開口窓１０ｂとしたハウジングユニット１０を用い、ハウジングユニット１０の開口窓１０ｂに対して格子窓１２若しくは盲板１１を取り付けることができるように構成し、ハウジングユニット１０を複数個組み合わせることで、長さに応じて間伐材２０を収容することができる規模の内空を持つハウジングを構成し、且つハウジング内に収容された間伐材２０が抜け出る方向にあるハウジング外周の開口窓１０ｂには盲板１１を取り付け、それ以外の開口窓１０ｂには格子窓１２を取り付けてある。【選択図】        図３
2005160451.tif 000002
【特許請求の範囲】
【請求項１】
ハウジング内に間伐材を収容してなる人工魚礁であって、立体形状の各辺を骨格枠とすると共に各面を開口窓としたハウジングユニットを用い、該ハウジングユニットの前記開口窓に対しては格子窓若しくは盲板を取り付けることができるように構成し、前記ハウジングユニットを複数個組み合わせることで、間伐材の長さに応じて該間伐材を収容することができる規模の内空を持つハウジングを構成し、且つハウジング内に収容された間伐材が抜け出る方向にあるハウジング外周の開口窓には盲板を取り付け、それ以外のハウジング外周の前記開口窓には格子窓を取り付けてあることを特徴とする人工魚礁。
【請求項２】
格子窓及び盲板はハウジングユニットに対して着脱可能に後付けすることを特徴とする請求項１に記載の人工魚礁。
【請求項３】
少なくとも１枚の盲板はハウジングユニットの１つの開口窓を閉塞するものとしてハウジングユニット成形時に予め一体成形してあることを特徴とする請求項１に記載の人工魚礁。
【請求項４】
間伐材を収容したハウジングに対して間伐材を収容していないハウジングユニットを１乃至複数組み合わせ、これによって全体としてのハウジングを構成してあることを特徴とする請求項１〜３の何れかに記載の人工魚礁。
【請求項５】
間伐材はハウジング内に垂直方向、水平方向或いはその他の方向に収容することを特徴とする請求項１〜４の何れかに記載の人工魚礁。
【請求項６】
間伐材と共に若しくは代わりに、使い古しの木材、その他の木材、竹材を用いることを特徴とする請求項１〜５の何れかに記載の人工魚礁。
【発明の詳細な説明】
【技術分野】
【０００１】
本発明は人工魚礁に関し、より詳しくは間伐材を用いた人工魚礁に関する。
【背景技術】
【０００２】
従来、間伐材を人工魚礁に利用するには、主として次の２つの方法があった。
（１）．主として間伐材のみを利用する方法
（２）．魚礁部材に間伐材を取り付ける方法
【０００３】
前記（１）の方法には、図７に示すように水中での安定を確保するための鉄筋コンクリート製土台１に間伐材２を鉛直方向に立設する方法と、図８に示すように間伐材２を土台やその他の上に井桁状に組み上げる方法とがある。
前記（２）の方法には、図９に示すように切り揃えた間伐材２を鉄枠３等に取り付けた上で、これを魚礁枠４に取り付ける方法がある。
【特許文献１】特開２００３−１６９５６３号公報
【特許文献２】特開２００３−２２５０３３号公報
【特許文献３】特開２００３−２８９７４６号公報
【発明の開示】
【発明が解決しようとする課題】
【０００４】
ところが上記（１）の方法においては、腐食やフナクイムシ等の食害に対する防食処理が間伐材２に施されないと、２〜３年で崩壊して人工魚礁としての機能を果たさなくなる。しかも前記崩壊の過程において、人工魚礁から流出した塊状部が漁船、養殖施設或いは護岸構造物等に衝突して好ましくない事態を起こすといった不都合も生じ得る問題がある。また間伐材２に防食処理を施すとなるとコストが高くなると共に、防食物質が水中に流出する問題もある。
一方、上記（２）の方法では、特に間伐材２を切り揃える必要があり、その作業コスト及び時間がかかり、また鉄枠３のコスト等の問題があった。また間伐材２の腐食等による流出による問題も既述した通りである。
【０００５】
人工魚礁は設置する水深、対象魚種、また対象魚種の成長段階によって、構造が疎なものより密なものの方が、魚礁としての目的に適うことが多年の知見によって明らかにされている。
また人工魚礁の構造体は、設置する水深によっては設置後数年で付着生物によって被覆され、当初は疎であった構造体が密な構造体へ変移し、より良好な魚礁環境を形成することも知られている。
そこで間伐材を用いて、人工魚礁の構造体をより密なものとする工夫が必要である。また場合によっては、密な部分に疎な部分を組み合わせることも必要なことがある。
【０００６】
間伐材の役割は、ただ単に人工魚礁の構造を密にするだけではなく、コンクリートや鋼材に比較して柔らかな材質であることから海藻等の付着物が着生し易く、魚類等の餌料環境を改善する。
また間伐材は腐食過程で生じる微細間隙に餌料生物となる微細甲殻類等を生息させることとなり、この点でも良好な餌料環境を形成することになる。
このような意味で間伐材を利用することは有効であるが、費用・効果比の観点から、できるだけ安価な工法であることが望まれている。
【０００７】
一方、間伐は森林を良好な環境に維持するために必要な行為であるが、間伐材の新規用途が開発されないため、つまり需要の拡大がないため、経済的に合わないとして間伐されずに放置される森林、即ち荒廃・劣化森林が増えてきており、二酸化炭素の吸収機能、保水機能、山地土砂流出防止機能などが劣化して、環境上また国土保全上においてゆゆしき問題ともなってきている。
【０００８】
そこで本発明は上記従来の問題を解消し、間伐材を大いに利用し、良好な魚礁をもたらすことができるできると共に、製造が安価であり、長期間にわたって機能を発揮し、また再使用にも適し、更に魚礁の構成要素が流出したりしないようにすることができる人工魚礁の提供を課題とする。
【課題を解決するための手段】
【０００９】
上記課題を達成するため、本発明の人工魚礁は、ハウジング内に間伐材を収容してなる人工魚礁であって、立体形状の各辺を骨格枠とすると共に各面を開口窓としたハウジングユニットを用い、該ハウジングユニットの前記開口窓に対しては格子窓若しくは盲板を取り付けることができるように構成し、前記ハウジングユニットを複数個組み合わせることで、間伐材の長さに応じて該間伐材を収容することができる規模の内空を持つハウジングを構成し、且つハウジング内に収容された間伐材が抜け出る方向にあるハウジング外周の開口窓には盲板を取り付け、それ以外のハウジング外周の前記開口窓には格子窓を取り付けてあることを第１の特徴としている。
また本発明の人工魚礁は、上記第１の特徴に加えて、格子窓及び盲板はハウジングユニットに対して着脱可能に後付けすることを第２の特徴としている。
また本発明の人工魚礁は、上記第１の特徴に加えて、少なくとも１枚の盲板はハウジングユニットの１つの開口窓を閉塞するものとしてハウジングユニット成形時に予め一体成形してあることを第３の特徴としている。
また本発明の人工魚礁は、上記第１〜第３の何れかの特徴に加えて、間伐材を収容したハウジングに対して間伐材を収容していないハウジングユニットを１乃至複数組み合わせ、これによって全体としてのハウジングを構成してあることを第４の特徴としている。
また本発明の人工魚礁は、上記第１〜第４の何れかの特徴に加えて、間伐材はハウジング内に垂直方向、水平方向或いはその他の方向に収容することを第５の特徴としている。
また本発明の人工魚礁は、上記第１〜第５の何れかの特徴に加えて、間伐材と共に若しくは代わりに、使い古しの木材、その他の木材、竹材を用いることを第６の特徴としている。
【発明の効果】
【００１０】
請求項１に記載の人工魚礁によれば、複数個のハウジングユニットが組み合わされることで、どのような長さの間伐材が産地から送られてきても、その間伐材の長さを受け入れることができる内空間を持つハウジングを構成することができる。
立体形状のハウジングユニットの各開口窓には格子窓若しくは盲板を取り付けることができるので、収容された間伐材が抜け出る方向にあるハウジングの外周の開口窓には盲板を取り付けることで、間伐材が容易に抜け出ることのないようにハウジング内に収容することができる。例えば間伐材を立てた状態で収容する場合は、各間伐材の下端側の該当する開口窓に盲板を取り付けることで、間伐材が抜け落ちることなく収容することができる。
盲板を設けない開口窓には格子窓を取り付けることができる。この格子窓は海水や海洋生物、その卵や種などが自由にハウジング内に出入りするのを確保すると共に、前記間伐材が経年によって腐食やフナクイムシ等の食害で崩壊した場合においても、ある程度の規模（大きさを有する）のままでは、その崩壊した間伐材ブロックがハウジングから外部に流出することを防止し、これによって引き続き良好な魚礁を構成すると共に、流出したある程度の規模の間伐材ブロックがもたらす上記した不都合を予防することができる。
またハウジングユニットの各面を開口窓として、盲板或いは格子窓を取り付けることできるようにすることで、ハウジングユニットの組み合わせやその他の条件に応じた使用ができ、それぞれの開口窓に適材適所で盲板、格子窓を自在に取り付けることができる。
また人工魚礁を引き上げて、中の間伐材を取り替え或いはハウジングユニットの組み合わせ構成を変更して、再使用に容易に供することができる。
【００１１】
また請求項２に記載の人工魚礁によれば、上記請求項１に記載の構成による効果に加えて、格子窓及び盲板はハウジングユニットに対して着脱可能に後付けすることにより、ハウジングユニットの組み合わせによる立体構造を有するハウジングを構想した上で、各ハウジングユニットに対して格子窓と盲板を適材適所に取り付け、前記ハウジングを組み立てることができる。
【００１２】
また請求項３に記載の人工魚礁によれば、上記請求項１に記載の構成による効果に加えて、少なくとも１枚の盲板はハウジングユニットの１つの開口窓を閉塞するものとしてハウジングユニット成形時に予め一体成形してあることにより、例えばハウジングユニットを上下一対で組み合わせて１つのハウジングとするような場合には、ハウジングの天井と底となる部分を、予め一対のハウジングユニットに盲板で一体成形しておけばよく、後から盲板を取り付ける手間がいらなくなる。このように、ある一定の決められたハウジングに対しては、それを組み立てる各ハウジングユニットについても、その何処に盲板を取り付け、何処に格子窓を取り付けるかが判っていることから、それらを予めハウジングユニット成形時に一体に成形することで、後から一々盲板や格子窓を取り付ける手間が省け、コスト低減、時間低減につながる。
【００１３】
また請求項４に記載の人工魚礁によれば、上記請求項１〜３の何れかに記載の構成による効果に加えて、間伐材を収容したハウジングに対して間伐材を収容していないハウジングユニットを組み合わせ、これによって全体としてのハウジングを構成することで、人工魚礁を密な構造の部分と簡素な構造の部分との組み合わせとして構成することができる。これによって、人工魚礁を海中等に設置した初期から長期にわたって安定した魚礁としての機能を発揮することができる。即ち、密な構造の部分では人工魚礁設置の当初から魚礁機能を大いに発揮する。その一方、疎な構造の部分では経年を経るにつれて海洋生物の着生等により好ましい魚礁状態に変化することができる。
【００１４】
また請求項５に記載の人工魚礁によれば、上記請求項１〜４の何れかに記載の構成による効果に加えて、間伐材をハウジング内に垂直方向、水平方向或いはその他の方向に収容することで、海中等の状況に応じて間伐材を適切な方向に収容し、これによって生物が集まり易く、堅固で長持ちする良好な人工魚礁を提供することができる。
【００１５】
また請求項６に記載の人工魚礁によれば、上記請求項１〜５の何れかに記載の構成による効果に加えて、間伐材と共に若しくは代わりに、使い古しの木材、その他の木材、竹材を用いることで、臨機応変に種々の木材、竹材を用いて人工魚礁を容易に構成することができる。また種々の不ぞろいの木材や竹を不ぞろいのまま人工魚礁に用いることができる。
【発明を実施するための最良の形態】
【００１６】
以下の図面を参照しながら、本発明の実施形態を更に詳細に説明する。
図１は本発明の人工魚礁を構成するハウジングユニットとそれに取り付けることができる盲板、格子窓の斜視図、図２は上下に組み合わされる一対のハウジングユニットの斜視図、図３は上下に組み合わされる一対のハウジングユニットのうち、下のハウジングユニットに間伐材を収容しつつある状態を示す斜視図である。図４は一対のハウジングユニットを上下に組み合わせてハウジングとし、内部に間伐材を収容してなる人工魚礁の実施形態を示す斜視図である。図５は４個のハウジングユニットを用いてハウジングとし、内部に間伐材を収容してなる人工魚礁の実施形態を示す斜視図である。図６は４個のハウジングユニットを用いてハウジングとし、そのうち２個は間伐材を収容することなく組み合わせている実施形態を示す斜視図である。
【００１７】
先ず図１を参照して、人工魚礁のハウジングは、その構成要素としてハウジングユニット１０を用いる。該ハウジングユニット１０には盲板１１を取り付けることができるようにしている。またハウジングユニット１０には格子窓１２を取り付けることができるようにしている。
【００１８】
前記ハウジングユニット１０は、具体的には、六方体形状の各辺を骨格枠１０ａとし、六方体形状の各面を前記骨格枠１０ａを枠とする開口窓１０ｂとした構成からなり、その他にハウジングユニット１０同士の結合、前記盲板１１の結合、格子窓１２の結合に供するための結合用穴１０ｃを設けている。
ハウジングユニット１０は、本実施形態では鉄筋コンクリートによって構成している。勿論、鉄枠等、他の材料を用いることも可能である。
ハウジングユニット１０の六方体形状は、当然ながら立方体、直方体を含む。また六方体形状とは厳密に六方体形状である必要はなく、略六方体形状のものも含む概念である。更にハウジングユニット１０の形状としては、垂直方向や水平方向に相互に組み合わせることが容易な円柱状、多角形柱、その他の立体形状とすることが可能である。
【００１９】
前記盲板１１は、ハウジングユニット１０の開口窓１０ｂを閉止するための部材であり、その主たる機能は、間伐材２０を収容する際に間伐材を立てかけるための底板となることである。また立てかけた間伐材２０の天井板となることである。また間伐材２０を水平方向に収容する際に、差入れた間伐材２０がそのまま抜け落ちてしまうのを防止するための側板となることである。即ち、間伐材２０が差し入れ方向の前後に抜け出るのを防止する板としての役割を果たす。
盲板１１には、前記ハウジングユニット１０との結合用穴１１ａが設けられている。
盲板１１も鉄筋の入ったコンクリートで構成することができる。勿論、金属製、木製、その他の材料による板であってもよい。
【００２０】
前記格子窓１２は、ハウジングユニット１０内に収容された間伐材２０が経年によって腐食やフナクイムシ等の食害で崩壊した場合においても、ある程度の大きさ以上のままでは、その崩壊した間伐材２０のブロックが外部へ流出することができないように防止する役割を果たすための部材である。
格子窓１２は、例えば窓枠１２ａと格子１２ｂとから構成し、格子１２ｂは一方向の格子でも、クロスの格子でもよい。また格子の大きさは、前記崩壊した間伐材２０のブロックがある程度の大きさのままでは外に流出できないようにする役割を発揮することを前提に、その格子の大きさは適当に定めることができ、特に限定されない。
格子窓１２にはハウジングユニット１０の開口窓１０ｂとの結合に供するための結合用穴１２ｃを設けている。
なお、結合用穴１０ｃと前記結合用穴１１ａと結合用穴１０ｃとは相互に対応することができる位置に設けられる。
格子窓１２の格子枠１２は、鉄筋コンクリートで構成することが可能である。また金属やその他の材料で構成することが可能である。
格子１２ｂは金属で構成することができる。が、他の材料でも可能である。また格子１２ｂは格子枠１２の製造時に一体的に形成することができる。また後から取り付けるようにしてもよい。
【００２１】
図２を参照して、この図は人工魚礁のハウジングを構成する上下一対のハウジングユニット１０、１０を示している。
このうち、上に位置するハウジングユニット１０には、天井板として盲板１１が取り付けられている。また４側面には格子窓１２が取り付けられている。その一方、ハウジングユニット１０の底の開口窓１０ｂには何も取り付けられない。
また下に位置するハウジングユニット１０には、底板として盲板１１が取り付けられ、４側面には格子窓１２が取り付けられ、その一方、ハウジングユニット１０の天井の開口窓１０ｂには格子窓１２は取り付けられない。
なお図２において、格子窓１２はハウジングユニット１０の開口窓１０ｂの内面側に取り付けるようにしているが、外面側に取り付けるようにしてもよい。
また盲板１１、格子窓１２のハウジングユニット１０への取り付けは、ボルト・ナット、ネジ等の結合手段３０を用いて行うことができる。
以上のように上下のハウジングユニット１０、１０を構成することで、上下のハウジングユニット１０、１０を組み合わせたときに、内部が縦方向に連通した状態のハウジングを構成することができる。
【００２２】
図３を参照して、間伐材２０の収容は、図２で説明した上下一対のハウジングユニット１０、１０のうちの下に位置するハウジングユニット１０に対して上から差入れることで行う。
間伐材２０の長さが揃わなくとも、ハウジングユニット１０を２個組み合わせれば、大抵の間伐材２０は再度切り揃えたりすることなく、そのままハウジング内に収容することができる。間伐材２０の長さがハウジングユニット１０の開口窓１０ｂの径より小さい場合でも、格子窓１２の存在により、容易には抜け出ることなく収容できる。
【００２３】
図４を参照して、下に位置するハウジングユニット１０に間伐材２０の差し入れが終了すると、上に位置するハウジングユニット１０を上から被せ、ボルト・ナットやネジ等の連結手段３０を用いて、上下のハウジングユニット１０、１０を連結する。この場合、連結手段３０は盲板１１や格子窓１２の取り付けの場合よりも強度の大きいものを用いることになる。
以上のようにすることで、上下２つのハウジングユニット１０、１０からなるハウジングＡが構成され、且つ内部に複数の間伐材２０が収容された状態にされ、更に盲板１１によって底板と天井板が構成され、また格子窓１２による窓が構成された人工魚礁が完成される。即ち、２個のハウジングユニット１０を用いたハウジングＡからなる人工魚礁である。
なおハウジングＡ内への間伐材２０の差し入れは、上下のハウジングユニット１０、１０を組み合わせて、結合手段３０によって結合した後に、盲板１１を取り付けていない上のハウジングユニット１０の天井の開口窓１０ｂから、後から差入れて収容することも可能である。
更に格子窓１２をハウジングユニット１０の側面の外から開口窓１０ｂに取り付けるようにしている場合には、間伐材２０をハウジング内に収容した後に格子窓１２を取り付けるようにすることもできる。
【００２４】
図５に示す人工魚礁は、４個のハウジングユニット１０を用いてハウジングＢを構成している。また別の言い方では、前記図４に示すハウジングＡを横方向に２つ並べた形のハウジングＢを構成している。
【００２５】
図６に示す人工魚礁は、４個のハウジングユニット１０を組み合わせてハウジングＣを構成しているが、右の２つのハウジングユニット１０には間伐材２０を収容することなく、ハウジングユニット１０だけを組み合わせている。
【００２６】
ハウジングユニット１０は縦方向にも横方向にも、また奥行き方向にも、３次元方向に自由に組み合わせて、種々の大きさのハウジングを構成することができる。ハウジングユニット１０を組み合わせることで、間伐材２０の長さを切り揃えたりすることなく収容することができる内空間ができるので、そこに盲板１１と格子窓１２を適当に取り付けて、間伐材２０が抜け出ないように収容することができるのである。
また人工魚礁を設置する海底等の条件に応じて、間伐材２０が密に収容された部分と疎に収容された部分、間伐材２０が収容されない部分など、自由に構築してもよい。また間伐材２０の収容状態は、状況に応じて垂直方向、水平方向、その他の方向、或いはそれらの組み合わせとして自由な装入が可能である。
また一旦、海底等に投入設置したものであっても、必要に応じて引き上げ、ハウジングユニットの組み合わせを変更することが可能である。勿論、収容した間伐材２０を取り替えたり、経年に応じて増減したりすることができる。
その他、間伐材２０と共に或いは代わりに、使い古しの木材、新品の木材、竹材を被収容物として収容することができる。
【００２７】
なお上記の説明では、盲板１１、格子窓１２はハウジングユニット１０と別体に構成し、後から着脱可能に取り付けるようにしているが、盲板１１、格子窓１２を最初からハウジングユニット１０と一体に成形しておいてもよい。例えば図４に示すような上下一対のハウジングユニット１０、１０を用いてハウジングを構成する場合には、各ハウジングユニット１０、１０に対して、連結されるべき開口窓１０ｂを除く５つの開口窓１０ｂを１枚の盲板１１と４枚の格子窓１２とを有するハウジングユニット１０、１０に予め一体成形しておけばよい。このように盲板１１と格子窓１２とを予め一体に成形したハウジングユニット１０を用いることで、形の予め定まったハウジングを簡単に、素早く且つ低コストで組み立てを行うことができる。
また各ハウジングユニット１０について、１箇所の開口窓１０ｂについては盲板１１を最初から一体成形しておき、残る開口窓１０ｂに対しては、別体に構成した盲板１１か格子窓１２を後付けできるようにしておいてもよい。このようなハウジングユニット１０を用いる場合は、２個のハウジングユニットを一対として天井部と底部とを有し、且つ水平方向には多数のハウジングユニットが並ぶようなハウジングを組み立てる場合に、格子窓１２の取り付けの自由度が大きいので便利である。
その他、予め立体構造としてのハウジングの全体の形状が定まっているものについては、それを構成する各ハウジングユニット１０において盲板１１や格子窓１２の取り付け位置も予めわかっているので、それら盲板１１や格子窓１２を予めハウジングユニットに一体にして成形することもできる。本発明はこのような場合もその範囲に含むものとする。
【図面の簡単な説明】
【００２８】
【図１】本発明の人工魚礁を構成するハウジングユニットとそれに取り付けることができる盲板、格子窓の斜視図である。
【図２】上下に組み合わされる一対のハウジングユニットの斜視図である。
【図３】上下に組み合わされる一対のハウジングユニットのうち、下のハウジングユニットに間伐材を収容しつつある状態を示す斜視図である。
【図４】一対のハウジングユニットを上下に組み合わせてハウジングとし、内部に間伐材を収容してなる人工魚礁の実施形態を示す斜視図である。
【図５】４個のハウジングユニットを用いてハウジングとし、内部に間伐材を収容してなる人工魚礁の実施形態を示す斜視図である。
【図６】４個のハウジングユニットを用いてハウジングとし、そのうち２個は間伐材を収容することなく組み合わせている実施形態を示す斜視図である。
【図７】従来の人工魚礁の例を示す斜視図である。
【図８】従来の他の人工魚礁の例を示す斜視図である。
【図９】従来の更に他の人工魚礁の例を示す斜視図である。
【符号の説明】
【００２９】
１０        ハウジングユニット
１０ａ      骨格枠
１０ｂ      開口窓
１０ｃ      結合用穴
１１        盲板
１１ａ      結合用穴
１２        格子窓
１２ａ      窓枠
１２ｂ      格子
１２ｃ      結合用穴
２０        間伐材
３０        結合手段
Ａ、Ｂ、Ｃ  ハウジング
【図１】
2005160451.tif 000003
【図２】
2005160451.tif 000004
【図３】
2005160451.tif 000005
【図４】
2005160451.tif 000006
【図５】
2005160451.tif 000007
【図６】
2005160451.tif 000008
【図７】
2005160451.tif 000009
【図８】
2005160451.tif 000010
【図９】
2005160451.tif 000011